(57)【要約】【課題】本発明は音響分野および情報通信分野のスピーカに関するものであり、小型化、薄型化、軽量化、低コスト化さらには生産性の向上が実現できる優れたスピーカを提供するものである。【解決手段】本発明のスピーカは、上部プレート２２を磁気ギャップ２５から上方に傾斜させるとともに、その端部近傍に振動板２７を結合してスピーカを構成することで、フレームを削減することができるとともに、傾斜を設けた上部プレート２２にて形成された窪みに振動部品を収納してスピーカを構成することで、磁気回路２４の高さ内に振動部品を収納することができ、フレームの削減とともに薄型化、軽量化を図ることができる構成としたものである。【選択図】図１
2006352506.tif 000002
【特許請求の範囲】
【請求項１】
少なくとも、センターポールを有する下部プレートと、この下部プレートに結合されたマグネットと、このマグネットの前記下部プレートとの反対側に結合された上部プレートとからなる磁気回路と、この磁気回路に結合された振動板と、この振動板に結合されるとともに、その一部が前記磁気回路の磁気ギャップに配置されたボイスコイルとからなるスピーカであって、前記上部プレートは、磁気ギャップから上方に傾斜させるとともに、その端部近傍に、前記振動板を結合したスピーカ。
【請求項２】
下部プレートに傾斜を設けるとともに、この下部プレートのマグネットとの結合側と反対側にキャンセルマグネットをさらに設けた請求項１記載のスピーカ。
【請求項３】
キャンセルマグネットの下部プレートとの結合側と反対側にシールドカバーをさらに設けた請求項２記載のスピーカ。
【請求項４】
ボイスコイルにダンパーを結合し、このダンパ−のボイスコイルとの結合側と反対側の一端は、上部プレートに結合した請求項１から請求項３のいずれか１つに記載のスピーカ。
【請求項５】
上部プレートの周縁部を延長するとともに、この延長部に取付け孔を設けた請求項１から請求項４のいずれか１つに記載のスピーカ。
【請求項６】
シールドカバーの周縁部を延長するとともに、この延長部に取付け孔を設けた請求項１から請求項４のいずれか１つに記載のスピーカ。
【請求項７】
請求項１から請求項６のいずれか１つに記載のスピーカを搭載した電子機器。
【請求項８】
請求項１から請求項６のいずれか１つに記載のスピーカを搭載した装置。
【発明の詳細な説明】
【技術分野】
【０００１】
本発明は各種音響機器および情報通信機器に使用されるスピーカおよび電子機器や装置に関するものである。
【背景技術】
【０００２】
従来のスピーカについて、図９により説明する。
【０００３】
図９は従来のスピーカの断面図を示したものである。
【０００４】
図９によると、着磁されたマグネット１を、センターポール３Ａを有する下部プレート３に結合し、マグネット１の下部プレート３と結合した反対側に、上部プレート２を結合して外磁型の磁気回路４を構成している。
【０００５】
そして、この磁気回路４にフレーム６を結合し、このフレーム６の周縁部に振動板７を結合している。
【０００６】
そして、この振動板７にボイスコイル８を結合するとともに、このボイスコイル８を上記磁気回路４の磁気ギャップ５に挿入してスピーカを構成している。
【０００７】
この従来のスピーカでは、その全高寸法の構成として、磁気回路４にフレーム６を結合して構成する、いわば積み上げ方式での結合構成となっている。
【０００８】
そのため、スピーカの全高寸法は、最低でも磁気回路４とフレーム６との合計寸法が必要となるものであった。
【０００９】
最近では、ＡＶ商品分野においては、液晶やプラズマ等の薄型テレビの普及が顕著であり、スピーカには全高寸法の薄型化に対する要求が非常に強くなりつつある。
【００１０】
一方、車載分野においても、地球環境対応を目的とした省エネルギー化を目指した活動として、スピーカの小型化、薄型化、軽量化に対する要求が非常に強くなりつつある。
【００１１】
これらの背景から、前述の従来スピーカについても、小型化、薄型化、軽量化に対する開発が強化されている。
【００１２】
この中で、従来スピーカの構造のまま薄型化を図るには、厳しい市場要求に対して、既に限界に達しており、スピーカの構造的に、新たな改革を加える必要が生じてきている。
【００１３】
よって最近では特に、この薄型化を実現させるためのスピーカの開発が強化されつつある。
【００１４】
なお、この出願の発明に関する先行技術文献情報としては、例えば、特許文献１および特許文献２が知られている。
【特許文献１】特開２００５−５１２８３号公報
【特許文献２】特開２００１−１２８２８８号公報
【発明の開示】
【発明が解決しようとする課題】
【００１５】
上述のスピーカは、従来スピーカの構造のまま薄型化を図るには、厳しい市場要求に対して、既に限界に達しているという課題を有するものであった。
【００１６】
さらに市場要求では、省エネルギー化を目的としたスピーカの変換効率の向上に関しても、さらなる音圧レベルの向上についての厳しい要求がなされている。
【００１７】
この対応のため、大きな体積のマグネットを使用するか、キャンセルマグネットを追加して反撥磁気回路を構成し、マグネットの磁気エネルギーを効率よく使用できるようにせざるを得ない状況である。
【００１８】
いずれにせよ、マグネットを含む磁気回路の体積は増大する方向であり、薄型化はさらに実現が困難である。
【００１９】
従って今後は、スピーカの構造として、新たな改革を加える必要が生じてきている。
【００２０】
本発明は、上記課題を解決するもので、小型化、薄型化、軽量化が実現できる優れたスピーカを提供するものである。
【課題を解決するための手段】
【００２１】
上記課題を解決するために、本発明は以下の構成を有する。
【００２２】
少なくとも、センターポールを有する下部プレートと、この下部プレートに結合されたマグネットと、このマグネットの前記下部プレートとの反対側に結合された上部プレートとからなる磁気回路と、この磁気回路に結合された振動板と、この振動板に結合されるとともに、その一部が前記磁気回路の磁気ギャップに配置されたボイスコイルとからなるスピーカであって、前記上部プレートは、磁気ギャップから上方に傾斜させるとともに、その端部近傍に、前記振動板を結合してスピーカを構成したものである。
【００２３】
この構成により、フレームを削減することができるとともに、傾斜を設けた上部プレートにて形成された窪みに、振動部品を収納してスピーカを構成することで、磁気回路の高さ内に振動部品を収納することができ、薄型化を図ることができる。
【００２４】
また、フレームを削減することで、小型化や軽量化も図ることができる。
【発明の効果】
【００２５】
以上のように本発明は、上部プレートは、磁気ギャップから上方に傾斜させるとともに、その端部近傍に振動板を結合してスピーカを構成したものである。
【００２６】
この構成により、フレームを削減することができるとともに、傾斜を設けた上部プレートにて形成された窪みに、振動部品を収納してスピーカを構成することで、磁気回路の高さ内に振動部品を収納することができ、薄型化を図ることができる。
【００２７】
また、フレームを削減することで、小型化や軽量化も図ることができる。
【００２８】
さらに、フレームを削減することで、部品点数削減により、フレームのコストおよびスピーカの組立て工数を削減することができ、スピーカの低コスト化と生産性の向上を図ることができる。
【００２９】
また、フレームを削減することで、一般的に多用される鉄等の金属フレームである場合は、フレームからの磁気漏洩をなくすことができ、磁気利用効率を向上させることにより、スピーカの音圧レベル向上や、漏洩磁束の低減も図ることができる。
【００３０】
よって、その工業的価値は非常に大なるものである。
【発明を実施するための最良の形態】
【００３１】
以下、本発明の実施の形態について図面を用いて説明する。なお、同様の内容については、その説明を省略して説明する。
【００３２】
（実施の形態１）
以下、実施の形態１を用いて、本発明の特に請求項１から請求項６に記載の発明について説明する。
【００３３】
図１から図６は、本発明の一実施の形態におけるスピーカを示す断面図である。
【００３４】
図１に示すように、センターポール２３Ａを有する下部プレート２３に、マグネット２１を結合し、このマグネット２１の下部プレート２３との反対側に上部プレート２２を結合して磁気回路２４を構成している。
【００３５】
ここで、この上部プレート２２は、磁気ギャップ２５が形成される位置から上方に傾斜させることで、磁気ギャップ２５の上方に窪みを形成している。
【００３６】
そして、この磁気回路の上部プレート２２の端部近傍に振動板２７を結合し、この振動板２７にボイスコイル２８を結合するとともに、このボイスコイル２８を上記磁気回路２４の磁気ギャップ２５に挿入してスピーカを構成している。
【００３７】
ここで、この振動板２７やボイスコイル２８は、上部プレート２２を磁気ギャップ２５の位置から上方に傾斜させることで形成された窪みに収納して構成している。
【００３８】
この構成により、傾斜を設けた上部プレート２２にて形成された窪みに、振動部品を収納してスピーカを構成することで、磁気回路の高さ内に振動部品を収納することができ、スピーカの薄型化を図ることができる。
【００３９】
さらに、この構成により、通常多用されているフレームを削減することができる。
【００４０】
よって、フレームを削減することで、スピーカの小型化や軽量化を図ることができるとともに、スピーカの構成部品点数削減により、フレームのコストおよびスピーカの組立て工数を削減することができ、スピーカの低コスト化と生産性の向上を図ることができる。
【００４１】
また、フレームを削減することで、一般的に多用される鉄等の金属フレームである場合は、フレームからの磁気漏洩をなくすことができ、磁気利用効率を向上させることにより、スピーカの音圧レベル向上や、漏洩磁束の低減も図ることができる。
【００４２】
また、別の実施の形態として、図２に示すように、下部プレート２３に傾斜を設けるとともに、この下部プレート２３のマグネット２１との結合側と反対側にキャンセルマグネット２９をさらに設けた構成としても良い。
【００４３】
この構成とすることで、キャンセルマグネット２９の効果により、磁気ギャップ２５内の主磁束を向上させ、漏洩磁束を低減させることで、さらなるスピーカの音圧レベル向上や、漏洩磁束の低減を図ることができる。
【００４４】
さらに、別の実施の形態として、図３に示すように、図２に示す構成に、シールドカバー３０をさらに設けた構成としても良い。
【００４５】
すなわち、キャンセルマグネット２９の下部プレート２３との結合側と反対側にシールドカバー３０をさらに設けた構成としても良い。
【００４６】
この構成とすることで、さらに漏洩磁束を低減させ、より一層スピーカの音圧レベル向上や、漏洩磁束の低減を図ることができる。
【００４７】
また、図４に示すように、ボイスコイル２８にダンパー３１を結合し、このダンパー３１のボイスコイル２８との結合側と反対側の一端は、上部プレート２２に結合した構成としても良い。
【００４８】
この構成とすることで、ダンパー３１を付加した効果として、ボイスコイル２８や、これに結合された振動板２７の支持性能をさらに向上させることができ、ギャップ不良の低減による高耐入力化等の品質、信頼性の向上を図ることができる。
【００４９】
また、別の実施の形態として、図５に示すように、フレームを削減することで、スピーカの取付け孔が必要なセットとの取付け構造を有するセットへの取付けに関しても、上部プレート２２の周縁部を延長するとともに、この延長部に取付け孔２２Ａを設けた構成とすることもできる。
【００５０】
この構成とすることで、フレームを削減しても、上部プレート２２の周縁部に取付け孔２２Ａを設けることができ、取付け孔が必要なセットとの取付けに関しても対応することができる。
【００５１】
さらに、取付け孔に関する別の実施の形態として、図６に示すように、フレームを削減することで、スピーカの取付け孔が必要なセットとの取付け構造を有するセットへの取付けに関しても、シールドカバー３０の周縁部を延長するとともに、この延長部に取付け孔３０Ａを設けた構成とすることもできる。
【００５２】
この構成とすることで、フレームを削減しても、シールドカバー３０の周縁部に取付け孔３０Ａを設けることができ、取付け孔が必要なセットとの取付けに関しても対応することができる。
【００５３】
（実施の形態２）
以下、実施の形態２を用いて、本発明の特に請求項７に記載の発明について説明する。
【００５４】
図７は、本発明の一実施の形態における電子機器の外観図である。
【００５５】
当実施の形態は、それぞれ、請求項１から請求項６のいずれか１つに記載のスピーカを搭載して電子機器であるオーディオ用のミニコンポシステムを構成したものである。
【００５６】
図７に示すように、本発明のスピーカ４０をエンクロジャー４１に組込んでスピーカシステムを構成し、このスピーカ４０に入力する電気信号の増幅手段であるアンプ４２と、このアンプ４２に入力されるソースを出力するプレーヤ４３とを備えて、電子機器であるオーディオ用のミニコンポシステム４４を構成したものである。
【００５７】
この構成とすることにより、フレームを削減し、上部プレート２２にて形成された窪みに、振動部品を収納して薄型化を図ったスピーカを使用することで、オーディオ用のミニコンポシステム４４等の電子機器の小型化、薄型化、軽量化さらには低コスト化を実現することができる。
【００５８】
さらに、生産性の向上、音圧レベル向上や、漏洩磁束の低減も実現することができる。
【００５９】
尚、当実施の形態は、電子機器としてオーディオ用のミニコンポシステムに搭載した例について説明したが、これに限定されることなく、テレビ等の映像機器や、移動体通信機器であっても良い。すなわち、スピーカを搭載する電子機器であれば、全てに適用可能である。
【００６０】
（実施の形態３）
以下、実施の形態３を用いて、本発明の特に請求項８に記載の発明について説明する。
【００６１】
図８は、本発明の一実施の形態における装置を示す自動車の断面図である。
【００６２】
当実施の形態は、それぞれ、請求項１から請求項６のいずれか１つに記載のスピーカを搭載して装置である自動車を構成したものである。
【００６３】
すなわち、スピーカ４０を自動車５０のリアトレイに搭載して構成したものである。
【００６４】
この構成により、装置である自動車５０の小型化、薄型化、軽量化さらには低コスト化を実現することができる。
【００６５】
さらに、生産性の向上、音圧レベル向上や、漏洩磁束の低減、省エネルギー化も実現することができる。
【００６６】
尚、当実施の形態は、装置として自動車に搭載した例について説明したが、これに限定されることなく、列車や船舶等の移動装置さらには住宅等の構造物であっても良い。
【００６７】
すなわち、スピーカを搭載する装置であれば、全てに適用可能である。
【産業上の利用可能性】
【００６８】
本発明にかかるスピーカ、電子機器および装置は、小型化、薄型化、軽量化、低コスト化さらには生産性の向上等が必要な映像音響機器や情報通信機器、ゲーム機器等の電子機器、さらには自動車等の装置に適用できる。
【図面の簡単な説明】
【００６９】
【図１】本発明の一実施の形態におけるスピーカの断面図
【図２】本発明の一実施の形態におけるスピーカの断面図
【図３】本発明の一実施の形態におけるスピーカの断面図
【図４】本発明の一実施の形態におけるスピーカの断面図
【図５】本発明の一実施の形態におけるスピーカの断面図
【図６】本発明の一実施の形態におけるスピーカの断面図
【図７】本発明の一実施の形態における電子機器の外観図
【図８】本発明の一実施の形態における装置の断面図
【図９】従来のスピーカの断面図
【符号の説明】
【００７０】
２１  主マグネット
２２  上部プレート
２２Ａ  取付け孔
２３  下部プレート
２３Ａ  センターポール
２４  磁気回路
２５  磁気ギャップ
２７  振動板
２８  ボイスコイル
２９  キャンセルマグネット
３０  シールドカバー
３０Ａ  取付け孔
３１  ダンパー
４０  スピーカ
４１  エンクロジャー
４２  アンプ
４３  プレーヤ
４４  ミニコンポシステム
５０  自動車
【図１】
2006352506.tif 000003
【図２】
2006352506.tif 000004
【図３】
2006352506.tif 000005
【図４】
2006352506.tif 000006
【図５】
2006352506.tif 000007
【図６】
2006352506.tif 000008
【図７】
2006352506.tif 000009
【図８】
2006352506.tif 000010
【図９】
2006352506.tif 000011